(57)【要約】【課題】第１の筐体と第２の筐体とが着脱可能であり、且つ第１の筐体と第２の筐体とが相対的に回転可能な着脱ヒンジを提供する。【解決手段】本発明の一形態に係る着脱ヒンジ４は、第１の筐体に設けられる連結部７と、第２の筐体に設けられ、連結部７と着脱可能に磁気接続される被連結部１２と、を備える。連結部７は、第１の凹凸８ａが放射状に形成された第１の嵌め合い部８と、第１の凹凸８ａの中心に配置され、連結部７と被連結部１２との連結状態において、被連結部１２の側に突出する軸部９と、を有する。被連結部１２は、第１の凹凸８ａと嵌め合わされる第２の凹凸１３ａが放射状に形成された第２の嵌め合い部１３と、第２の凹凸１３ａの中心に配置され、軸部９が挿入される被挿入部と、を有する。【選択図】図１
2019027514.tif 000002
【特許請求の範囲】
【請求項１】
第１の筐体に設けられる連結部と、第２の筐体に設けられ、前記連結部と着脱可能に磁気接続される被連結部と、を備え、
前記連結部は、
第１の凹凸が放射状に形成された第１の嵌め合い部と、
前記第１の凹凸の中心に配置され、前記連結部と前記被連結部との連結状態において、前記被連結部の側に突出する軸部と、
を有し、
前記被連結部は、
前記第１の凹凸と嵌め合わされる第２の凹凸が放射状に形成された第２の嵌め合い部と、
前記第２の凹凸の中心に配置され、前記軸部が挿入される被挿入部と、
を有し、
前記連結部と前記被連結部とは、磁気接続されつつ、前記第１の凹凸の凸部及び前記第２の凹凸の凸部のいずれか一方の凹凸の凸部が他方の凹凸の凸部を乗り越える状態と、前記一方の凹凸の凸部が前記他方の凹凸の凹部に嵌まり込む状態と、を繰り返して相対的に回転可能である、着脱ヒンジ。
【請求項２】
第１の筐体に設けられる連結部と、第２の筐体に設けられる被連結部と、を備え、
前記連結部は、
第１の凹凸が放射状に形成された第１の嵌め合い部と、
前記第１の凹凸の中心に配置され、前記連結部と前記被連結部との連結状態において、前記被連結部の側に突出するラッチ基部と、
前記ラッチ基部から径方向に突出するラッチ部と、
を有し、
前記被連結部は、
前記第１の凹凸と嵌め合わされる第２の凹凸が放射状に形成された第２の嵌め合い部と、
前記第２の凹凸の中心に配置され、前記ラッチ基部が挿入される被挿入部と、
前記被挿入部に形成され、前記ラッチ部が通される切り欠き部と、
前記被挿入部に形成され、前記切り欠き部を介して前記被挿入部の内部に挿入された前記ラッチ部を前記被連結部に対する前記連結部の回転方向に案内する案内溝と、
を有する、着脱ヒンジ。
【請求項３】
前記連結部は、
前記被連結部との連結状態において、前記ラッチ基部を前記被連結部に接近又は当該被連結部から離間する方向に案内する案内軸と、
前記ラッチ基部を前記被連結部から離間する方向に付勢する弾性体と、
を有し、
前記ラッチ部は、前記連結部と前記被連結部との連結状態において、前記弾性体の付勢力によって前記案内溝の側面に押圧される、請求項２に記載の着脱ヒンジ。
【請求項４】
前記ラッチ部における前記ラッチ基部の根元側の面は、前記連結部と前記被連結部との連結状態において、前記被連結部に対する前記連結部の回転方向に向かうに従って当該被連結部の側に近づく傾斜面を有し、
前記切り欠き部に前記傾斜面を接触させつつ前記連結部を前記被連結部に対して回転させて前記ラッチ部を前記案内溝内に案内し、且つ前記第１の凹凸と前記第２の凹凸とを嵌め合わせた状態で、前記弾性体は前記ラッチ部における前記ラッチ基部の根元側の面を前記案内溝の側面に押圧する、請求項３に記載の着脱ヒンジ。
【請求項５】
前記ラッチ部として、第１のラッチ部と、前記第１のラッチ部に対して前記ラッチ基部の周方向の幅が広く、且つ前記第１のラッチ部に対して前記ラッチ基部の径方向の長さが短い第２のラッチ部と、を有し、
前記切り欠き部として、前記第１のラッチ部が通される第１の切り欠き部と、前記第２のラッチ部が通される第２の切り欠き部と、を有する、請求項２乃至４のいずれか１項に記載の着脱ヒンジ。
【請求項６】
請求項１乃至５のいずれか１項に記載の着脱ヒンジと、
前記第１の筐体及び前記第２の筐体のいずれか一方の筐体を有する表示装置と、
他方の筐体を有する撮像装置と、
を備える電子機器。
【発明の詳細な説明】
【技術分野】
【０００１】
本発明は、着脱ヒンジ及び電子機器に関する。
【背景技術】
【０００２】
使用者の体などが入らない箇所でも撮像できるように、本体部から撮像部を分離できれば便利である。例えば、特許文献１及び２の着脱式カメラは、撮像部に設けられたフック部を本体部に設けられた溝部に挿入又は当該溝部から抜去することで、撮像部を本体部に対して着脱可能な構成とされている。
【先行技術文献】
【特許文献】
【０００３】
【特許文献１】実開平２−１３３６５号公報
【特許文献２】実開平２−１３７１６６号公報
【発明の概要】
【発明が解決しようとする課題】
【０００４】
特許文献１及び２の着脱式カメラは、撮像部を本体部に対して着脱することは可能であるが、撮像部を本体部に着装（連結）した状態で、本体部に対して撮像部を回転させることができない。つまり、特許文献１及び２の着脱式カメラは、本体部側の第１の筐体と撮像部側の第２の筐体とが着脱可能であり、且つ第１の筐体と第２の筐体とが相対的に回転可能な着脱ヒンジを用いた構成ではない。
【０００５】
本発明の目的は、第１の筐体と第２の筐体とが着脱可能であり、且つ第１の筐体と第２の筐体とが相対的に回転可能な着脱ヒンジ及び電子機器を提供する。
【課題を解決するための手段】
【０００６】
本発明の一形態に係る着脱ヒンジは、第１の筐体に設けられる連結部と、第２の筐体に設けられ、前記連結部と着脱可能に磁気接続される被連結部と、を備え、
前記連結部は、
第１の凹凸が放射状に形成された第１の嵌め合い部と、
前記第１の凹凸の中心に配置され、前記連結部と前記被連結部との連結状態において、前記被連結部の側に突出する軸部と、
を有し、
前記被連結部は、
前記第１の凹凸と嵌め合わされる第２の凹凸が放射状に形成された第２の嵌め合い部と、
前記第２の凹凸の中心に配置され、前記軸部が挿入される被挿入部と、
を有し、
前記連結部と前記被連結部とは、磁気接続されつつ、前記第１の凹凸の凸部及び前記第２の凹凸の凸部のいずれか一方の凹凸の凸部が他方の凹凸の凸部を乗り越える状態と、前記一方の凹凸の凸部が前記他方の凹凸の凹部に嵌まり込む状態と、を繰り返して相対的に回転可能である。
【０００７】
本発明の一形態に係る着脱ヒンジは、第１の筐体に設けられる連結部と、第２の筐体に設けられる被連結部と、を備え、
前記連結部は、
第１の凹凸が放射状に形成された第１の嵌め合い部と、
前記第１の凹凸の中心に配置され、前記連結部と前記被連結部との連結状態において、前記被連結部の側に突出するラッチ基部と、
前記ラッチ基部から径方向に突出するラッチ部と、
を有し、
前記被連結部は、
前記第１の凹凸と嵌め合わされる第２の凹凸が放射状に形成された第２の嵌め合い部と、
前記第２の凹凸の中心に配置され、前記ラッチ基部が挿入される被挿入部と、
前記被挿入部に形成され、前記ラッチ部が通される切り欠き部と、
前記被挿入部に形成され、前記切り欠き部を介して前記被挿入部の内部に挿入された前記ラッチ部を前記被連結部に対する前記連結部の回転方向に案内する案内溝と、
を有する。
【発明の効果】
【０００８】
本発明によれば、第１の筐体と第２の筐体とが着脱可能であり、且つ第１の筐体と第２の筐体とが相対的に回転可能な着脱ヒンジ及び電子機器を実現できる。
【図面の簡単な説明】
【０００９】
【図１】実施の形態１において、撮像装置が表示装置に着装された状態を示す斜視図である。
【図２】実施の形態１において、撮像装置が表示装置から脱去された状態を示す斜視図である。
【図３】実施の形態１の表示装置の連結部周辺を示す拡大図である。
【図４】実施の形態１の表示装置の連結部を示す分解図である。
【図５】実施の形態１の撮像装置の被連結部周辺を示す拡大図である。
【図６】実施の形態１の撮像装置の被連結部を示す分解図である。
【図７】実施の形態１において、撮像装置を表示装置に着装する様子を示す斜視図である。
【図８】実施の形態１において、撮像装置を表示装置に着装した状態を示し、（ａ）はｚ軸＋側から見た図であり、（ｂ）はｘ軸＋側から見た図である。
【図９】（ａ）は、図８（ａ）のIX−IX断面図であり、（ｂ）は、（ａ）のＡ部分拡大図である。
【図１０】（ａ）は、図８（ａ）のＸ−Ｘ断面図であり、（ｂ）は、（ａ）のＢ部分拡大図である。
【図１１】実施の形態１において、撮像装置を表示装置に対して回転させた状態を示す図である。
【図１２】実施の形態１において、撮像装置を表示装置に対して回転させた状態を示し、（ａ）はｚ軸＋側から見た図であり、（ｂ）はｘ軸＋側から見た図である。
【図１３】（ａ）は、図１２（ａ）のXIII−XIII断面図であり、（ｂ）は、（ａ）のＣ部分拡大図である。
【図１４】（ａ）は、図１２（ａ）のXIV−XIV断面図であり、（ｂ）は、（ａ）のＤ部分断面図である。
【図１５】実施の形態２において、撮像装置に表示装置が着装された状態を示す斜視図である。
【図１６】実施の形態２の撮像装置の被連結部を示す分解図である。
【図１７】実施の形態２の撮像装置の被連結部のラッチ部を示し、中央の図はラッチ部をｘ軸＋方向に見た図であり、右側の図はｙ軸−側のラッチ部を矢印Ｅ方向に見た図であり、左側の図はｙ軸＋側のラッチ部を矢印Ｆ方向に見た図である。
【図１８】（ａ）は、実施の形態２の表示装置を示す斜視図であり、（ｂ）は、（ａ）のＧ部分拡大図である。
【図１９】実施の形態２の表示装置の連結部を示す分解図である。
【図２０】実施の形態２の表示装置の連結部をｘ軸＋側から見た図である。
【図２１】実施の形態２において、撮像装置を表示装置に着装する様子を示す図である。
【図２２】実施の形態２において、撮像装置が表示装置に仮組された状態でのラッチ部と切り欠き部との関係を示す図である。
【図２３】図２２のXXIII−XXIII断面図である。
【図２４】図２２のXXIV−XXIV断面図である。
【図２５】実施の形態２において、撮像装置が表示装置に仮組された状態を示す斜視図である。
【図２６】実施の形態２において、撮像装置が表示装置に仮組された状態を示す拡大図である。
【図２７】実施の形態２において、撮像装置が表示装置に着装された直後のラッチ部と切り欠き部との関係を示す図である。
【図２８】（ａ）は、ラッチ部が案内溝に引き込まれる様子を示す図であり、（ｂ）は、ラッチ部が案内溝に引き込まれた様子を示す図である。
【図２９】図２７のXXIX−XXIX断面図である。
【図３０】実施の形態２において、撮像装置を表示装置に対して回転させた状態でのラッチ部と切り欠き部との関係を示す図である。
【図３１】図３０のXXXI−XXXI断面図である。
【図３２】図３０のXXXII−XXXII断面図である。
【発明を実施するための形態】
【００１０】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１１】
＜実施の形態１＞
先ず、本実施の形態の着脱ヒンジを用いた電子機器の構成を説明する。図１は、本実施の形態において、撮像装置が表示装置に着装された状態を示す斜視図である。図２は、本実施の形態において、撮像装置が表示装置から脱去された状態を示す斜視図である。図３は、本実施の形態の表示装置の連結部周辺を示す拡大図である。図４は、本実施の形態の表示装置の連結部を示す分解図である。図５は、本実施の形態の撮像装置の被連結部周辺を示す拡大図である。図６は、本実施の形態の撮像装置の被連結部を示す分解図である。ここで、以下の説明では、説明を明確にするために、図１の状態での表示装置及び撮像装置で規定したｘｙｚ座標に基づいて説明する。
【００１２】
本実施の形態の電子機器１は、図１及び図２に示すように、表示装置２、撮像装置３及び着脱ヒンジ４を備えている。表示装置２は、図２に示すように、表示部５、筐体６及び連結部７を備えており、有線又は無線により、撮像装置３との間でデータの送受信が可能である。
【００１３】
表示部５は、撮像装置３で撮像された画像データを表示する。ここで、表示部５は、タッチパネルを備え、例えば、撮像装置３を操作するための入力を受け付けてもよい。つまり、表示装置２は、操作装置として機能してもよい。
【００１４】
筐体６は、表示部５、及び図示を省略した処理装置（ＣＰＵ：Central Processing Unit）や記憶装置（ＲＯＭ：Read Only Memory、ＲＡＭ：Random Access Memory）などが搭載された基板などを収容する。筐体６は、ｚ軸＋側の面に開口部６ａを備えており、当該開口部６ａから表示部５が露出している。ここで、筐体６は、例えば、ｘ軸方向が短手方向となり、ｙ軸方向が長手方向となる。
【００１５】
連結部７は、撮像装置３の被連結部とで着脱ヒンジ４を構成する。連結部７は、筐体６に設けられている。連結部７は、例えば、図２に示すように、筐体６のｘ軸＋側の面に設けられている。但し、連結部７の配置は、筐体６に設けられていればよい。
【００１６】
連結部７は、図３及び図４に示すように、第１の嵌め合い部８、軸部９及びボルト１０を備えている。第１の嵌め合い部８は、ｘ軸＋側の面に形成された第１の凹凸８ａを備えている。
【００１７】
第１の凹凸８ａは、例えば、図３に示すように、ベース部８ｂのｘ軸＋側の面に形成されており、各々の凸部８ａ１及び凹部８ａ２が交互に放射状に配置されている。詳細には、ベース部８ｂのｘ軸＋側の面から山型（即ち、二等辺三角形）の凸部８ａ１が放射状に突出しており、当該凸部８ａ１の間が凹部８ａ２となる。
【００１８】
ベース部８ｂは、例えば、図４に示すように、円柱形状を基本形態としており、凹部８ｃ及びボルト孔８ｄを備えている。凹部８ｃは、ｘ軸＋側から見て円形状であり、ベース部８ｂのｘ軸＋側の面からｘ軸−方向に延在する。そして、凹部８ｃの中心軸は、大凡、ベース部８ｂの中心軸上に配置され、且つ第１の凹凸８ａの中心を通る。つまり、第１の凹凸８ａは、凹部８ｃの中心軸を略中心に放射状に配置されていることになる。
【００１９】
ボルト孔８ｄは、凹部８ｃに対して直径が小さい孔であり、凹部８ｃのｘ軸＋側の面（底面）からベース部８ｂのｘ軸−側の面まで貫通している。ボルト孔８ｄの中心軸は、大凡、凹部８ｃの中心軸上に配置されている。
【００２０】
このような第１の嵌め合い部８は、筐体６のｘ軸＋側の面に形成された凹部６ｂに嵌め込まれて固定されている。このとき、第１の嵌め合い部８のｘ軸＋側の面は、筐体６のｘ軸＋側の面と略面一に配置されている。
【００２１】
軸部９は、図３に示すように、筐体６のｘ軸＋側の面からｘ軸＋側に突出している。軸部９は、例えば、図４に示すように、第１の嵌め合い部８の凹部８ｃの直径と略等しい直径を有する円柱形状の磁石であり、中央でｘ軸方向に貫通するボルト孔９ａを備えている。
【００２２】
このような軸部９は、第１の嵌め合い部８の凹部８ｃに嵌め込まれて固定されている。このとき、軸部９の中心軸は、大凡、第１の凹凸８ａの中心を通る。また、軸部９は、第１の嵌め合い部８のｘ軸＋側の面からｘ軸＋側に突出している。
【００２３】
ボルト１０は、第１の嵌め合い部８のボルト孔８ｄ及び軸部９のボルト孔９ａに通され、筐体６の凹部６ｂに形成されたボルト穴にねじ込まれている。これにより、第１の嵌め合い部８及び軸部９は筐体６に固定されている。このとき、ボルト１０のボルト頭は、軸部９のｘ軸＋側の面から突出しないように、軸部９のｘ軸＋側の面に形成されたザグリ部に収容されているとよい。
【００２４】
撮像装置３は、図２に示すように、本体部１１及び被連結部１２を備えている。撮像装置３は、例えば、赤外線サーモグラフィカメラや一般的なデジタルカメラであり、長手方向の長さが表示装置２の筐体６におけるｘ軸＋側の面のｙ軸方向の長さに対して短い。
【００２５】
本体部１１は、筐体１１ａ内にレンズや撮像素子などが搭載されており、撮像素子が取得した画像データを表示装置２に送信する。また、本体部１１は、例えば、表示装置２から送信された指令データに基づいて操作されたり、当該本体部１１に設けられた操作ボタンから入力される指令データに基づいて操作されたり、する。
【００２６】
被連結部１２は、本体部１１の筐体１１ａに設けられている。被連結部１２は、例えば、本体部１１の筐体１１ａのｘ軸−側の面に設けられている。但し、被連結部１２の配置は、本体部１１の筐体１１ａに設けられていればよい。
【００２７】
被連結部１２は、図５及び図６に示すように、第２の嵌め合い部１３、ワッシャ１４及びボルト１５を備えている。第２の嵌め合い部１３は、ｘ軸−側の面に形成された第２の凹凸１３ａを備えている。
【００２８】
第２の凹凸１３ａは、例えば、図５に示すように、ベース部１３ｂのｘ軸−側の面に形成されており、各々の凸部１３ａ１及び凹部１３ａ２が交互に放射状に配置されている。詳細には、ベース部１３ｂのｘ軸−側の面から山型（即ち、二等辺三角形）の凸部１３ａ１が放射状に突出しており、当該凸部１３ａ１の間が凹部１３ａ２となる。そして、凸部１３ａ１は、凹部８ａ２と嵌め合い可能であり、凹部１３ａ２は、凸部８ａ１と嵌め合い可能である。
【００２９】
ベース部１３ｂは、例えば、図６に示すように、円柱形状を基本形態としており、凹部１３ｃ及びボルト孔１３ｄを備えている。凹部１３ｃは、ｘ軸−側から見て円形状であり、ベース部１３ｂのｘ軸−側の面からｘ軸＋方向に延在する。そして、凹部１３ｃの中心軸は、大凡、ベース部１３ｂの中心軸上に配置され、且つ第２の凹凸１３ａの中心を通る。つまり、第２の凹凸１３ａは、凹部１３ｃの中心軸を略中心に放射状に配置されていることになる。
【００３０】
ボルト孔１３ｄは、凹部１３ｃに対して直径が小さい孔であり、凹部１３ｃのｘ軸−側の面（底面）からベース部１３ｂのｘ軸＋側の面まで貫通している。ボルト孔１３ｄの中心軸は、大凡、凹部１３ｃの中心軸上に配置されている。
【００３１】
このような第２の嵌め合い部１３は、筐体１１ａのｘ軸−側の面に形成された凹部１１ｂに嵌め込まれて固定されている。このとき、第２の嵌め合い部１３のｘ軸−側の面は、筐体１１ａのｘ軸−側の面と略面一に配置されている。
【００３２】
ワッシャ１４は、第２の嵌め合い部１３の凹部１３ｃに嵌め込まれて固定されており、軸部９と磁気接続可能な部材から成る。ワッシャ１４は、例えば、図６に示すように、第２の嵌め合い部１３の凹部１３ｃの直径と略等しい直径を有する円柱形状を基本形態としており、中央でｘ軸方向に貫通するボルト孔１４ａを備えている。そして、ワッシャ１４のｘ軸方向の厚さは、第２の嵌め合い部１３の凹部１３ｃにおけるｘ軸方向の深さに対して薄い。
【００３３】
ボルト１５は、第２の嵌め合い部１３のボルト孔１３ｄ及びワッシャ１４のボルト孔１４ａに通され、筐体１１ａの凹部１１ｂに形成されたボルト穴１１ｃにねじ込まれている。これにより、第２の嵌め合い部１３及びワッシャ１４は筐体１１ａに固定されている。
【００３４】
このとき、ボルト１５のボルト頭は、ワッシャ１４のｘ軸−側の面から突出しないように、ワッシャ１４のｘ軸−側の面に形成されたザグリ部に収容されているとよい。そして、第２の嵌め合い部１３の凹部１３ｃ及びワッシャ１４で囲まれた空間１６は、後述するように、軸部９が挿入される被挿入穴とされる。
【００３５】
次に、本実施の形態の表示装置２に撮像装置３が着装された状態を説明する。図７は、本実施の形態において、撮像装置を表示装置に着装する様子を示す斜視図である。図８は、本実施の形態において、撮像装置を表示装置に着装した状態を示し、（ａ）はｚ軸＋側から見た図であり、（ｂ）はｘ軸＋側から見た図である。図９（ａ）は、図８（ａ）のIX−IX断面図であり、図９（ｂ）は、図９（ａ）のＡ部分拡大図である。図１０（ａ）は、図８（ａ）のＸ−Ｘ断面図であり、図１０（ｂ）は、図１０（ａ）のＢ部分拡大図である。なお、図９及び図１０では、表示装置２及び撮像装置３の内部構造を省略している。
【００３６】
使用者は、図７に示すように、撮像装置３の空間１６に表示装置２の軸部９を挿入する。これにより、図９（ａ）及び（ｂ）に示すように、撮像装置３のワッシャ１４と表示装置２の軸部９とが磁気接続される。このとき、図１０（ａ）及び（ｂ）に示すように、撮像装置３の第２の凹凸１３ａと表示装置２の第１の凹凸８ａとが嵌め合わされる。
【００３７】
その結果、撮像装置３は、図８（ａ）及び（ｂ）に示すように、表示装置２に着装される。このとき、表示装置２の第１の凹凸８ａと第２の凹凸１３ａとが嵌め合わされた状態で、表示装置２の軸部９のｘ軸＋側の面は、撮像装置３のワッシャ１４のｘ軸−側の面に略面接触する。そのため、撮像装置３の空間１６のｘ軸方向の深さは、表示装置２の軸部９が筐体６のｘ軸＋側の面から突出する突出量と略等しい。
【００３８】
ここで、図８（ａ）及び（ｂ）に示すように、撮像装置３の長手方向をｙ軸方向に配置した状態で、撮像装置３のｙ軸方向の両端部が表示装置２のｘ軸＋側の面から突出しないように、撮像装置３が表示装置２に着装されるとよい。これにより、撮像装置３を表示装置２に着装した状態で、電子機器１を小型化することができる。
【００３９】
次に、本実施の形態の撮像装置３を表示装置２に対して回転させた状態を説明する。図１１は、本実施の形態において、撮像装置を表示装置に対して回転させた状態を示す図である。図１２は、本実施の形態において、撮像装置を表示装置に対して回転させた状態を示し、（ａ）はｚ軸＋側から見た図であり、（ｂ）はｘ軸＋側から見た図である。図１３（ａ）は、図１２（ａ）のXIII−XIII断面図であり、図１３（ｂ）は、図１３（ａ）のＣ部分拡大図である。図１４（ａ）は、図１２（ａ）のXIV−XIV断面図であり、図１４（ｂ）は、図１４（ａ）のＤ部分断面図である。なお、図１３及び図１４では、表示装置２及び撮像装置３の内部構造を省略している。
【００４０】
使用者は、図１１に示すように、軸部９を中心に撮像装置３を表示装置２に対して回転させると、例えば、図１０（ａ）及び（ｂ）に示すように、第１の凹凸８ａと第２の凹凸１３ａとが嵌め合わされた状態と、図１４（ａ）及び（ｂ）に示すように、第１の凹凸８ａの凸部８ａ１が第２の凹凸１３ａの凸部１３ａ１に乗り上げた状態と、を繰り返す。
【００４１】
つまり、第１の凹凸８ａの凸部８ａ１が第２の凹凸１３ａの凸部１３ａ１への乗り上げと第２の凹凸１３ａの凹部１３ａ２への嵌まり込みとを繰り返す。言い換えると、第２の凸部１３ａ１が第１の凹凸８ａの凸部８ａ１への乗り上げと第１の凹凸８ａの凹部８ａ２への嵌まり込みとを繰り返す。
【００４２】
このとき、図９（ａ）及び（ｂ）に示すように、撮像装置３のワッシャ１４が表示装置２の軸部９に略接触した状態と、図１３（ａ）及び（ｂ）に示すように、撮像装置３のワッシャ１４が表示装置２の軸部９から離間した状態と、を繰り返すが、撮像装置３のワッシャ１４と表示装置２の軸部９との磁気接続は維持される。
【００４３】
そのため、表示装置２と撮像装置３との磁気接続を維持しつつ、撮像装置３を表示装置２に対して回転させることができる。そして、撮像装置３を表示装置２に対して回転させた際に、第１の凹凸８ａと第２の凹凸１３ａとが嵌め合わされると、表示装置２に対する撮像装置３の回転位置を保持することができる。
【００４４】
ちなみに、本実施の形態では、第１の凹凸８ａの凸部８ａ１及び第２の凹凸１３ａの凸部１３ａ１のピッチを５°に設定しており、第１の凹凸８ａと第２の凹凸１３ａとが嵌め合わされた状態から、図１２（ａ）及び（ｂ）に示すように、撮像装置３を表示装置２に対して２．５°回転させると、第１の凹凸８ａの凸部８ａ１が第２の凹凸１３ａの凸部１３ａ１に乗り上げる。但し、第１の凹凸８ａの凸部８ａ１及び第２の凹凸１３ａの凸部１３ａ１のピッチは、適宜、変更することができる。
【００４５】
このような電子機器１は、撮像装置３を表示装置２に対してｘ軸＋側に引っ張ると、表示装置２の軸部９と撮像装置３のワッシャ１４との磁気接続が解除され、使用者は一方の手で表示装置２を保持しつつ、他方の手で撮像装置３を保持して、例えば、使用者の体が入らない箇所などを撮像することができる。
【００４６】
本実施の形態の電子機器１は、表示装置２の軸部９と撮像装置３のワッシャ１４とによって着脱可能に磁気接続されており、且つ表示装置２と撮像装置３とが軸部９を中心に相対的に回転可能である。そして、撮像装置３を表示装置２に対して回転させた際に、第１の凹凸８ａと第２の凹凸１３ａとが嵌め合わされると、撮像装置３における表示装置２に対する回転位置を保持することができる。
【００４７】
しかも、撮像装置３を表示装置２に対してｘ軸＋側に引っ張ると、表示装置２の軸部９と撮像装置３のワッシャ１４との磁気接続が解除され、簡単に撮像装置３を表示装置２に対して脱去（分離）することができる。これにより、使用者は一方の手で表示装置２を保持しつつ、他方の手で撮像装置３を保持することができる。
【００４８】
なお、本実施の形態では、表示装置２に連結部７を設け、撮像装置３に被連結部１２を設けたが、表示装置２に被連結部を設け、撮像装置３に連結部を設けてもよい。
【００４９】
また、本実施の形態では、軸部９を磁石で構成し、ワッシャ１４を軸部９と磁気接続可能な材料で構成したが、ワッシャ１４を磁石で構成し、軸部９をワッシャ１４と磁気接続可能な材料で構成してもよい。但し、表示装置２と撮像装置３とを着脱可能に磁気接続できる構成であればよい。
【００５０】
＜実施の形態２＞
本実施の形態の着脱ヒンジを用いた電子機器の構成を説明する。なお、本実施の形態の電子機器は、着脱ヒンジの構造を除いて、実施の形態１の電子機器１と等しい構成とされているため、重複する説明は省略し、等しい部材には等しい符号を用いて説明する。
【００５１】
図１５は、本実施の形態において、撮像装置に表示装置が着装された状態を示す斜視図である。図１６は、本実施の形態の撮像装置の被連結部を示す分解図である。図１７は、本実施の形態の撮像装置の被連結部のラッチ部を示し、中央の図はラッチ部をｘ軸＋方向に見た図であり、右側の図はｙ軸−側のラッチ部を矢印Ｅ方向に見た図であり、左側の図はｙ軸＋側のラッチ部を矢印Ｆ方向に見た図である。図１８（ａ）は、本実施の形態の表示装置を示す斜視図であり、図１８（ｂ）は、図１８（ａ）のＧ部分拡大図である。図１９は、本実施の形態の表示装置の連結部を示す分解図である。図２０は、本実施の形態の表示装置の連結部をｘ軸＋側から見た図である。ここで、以下の説明では、説明を明確にするために、図１５の状態での表示装置及び撮像装置で規定したｘｙｚ座標に基づいて説明する。
【００５２】
本実施の形態の電子機器２１も、図１５乃至図２０に示すように、撮像装置２２、表示装置２３及び着脱ヒンジ２４を備えている。撮像装置２２は、図１６に示すように、連結部２５を備えている。
【００５３】
連結部２５は、表示装置２３の被連結部３２とで着脱ヒンジ２４を構成する。連結部２５は、筐体１１ａに設けられている。連結部２５は、例えば、図１６に示すように、ｘ軸−側の面に設けられている。但し、連結部２５の配置は、筐体１１ａに設けられていればよい。
【００５４】
連結部２５は、第１の嵌め合い部２６、ラッチ基部２７及びラッチ部２８を備えている。第１の嵌め合い部２６は、ｘ軸−側の面に形成された第１の凹凸２６ａを備えている。第１の凹凸２６ａは、例えば、ベース部２６ｂのｘ軸−側の面に形成されており、各々の凸部２６ａ１及び凹部２６ａ２が交互に放射状に配置されている。つまり、ベース部２６ｂのｘ軸−側の面から山型（即ち、二等辺三角形）の凸部２６ａ１が放射状に突出しており、当該凸部２６ａ１の間が凹部２６ａ２となる。
【００５５】
ベース部２６ｂは、例えば、図１６に示すように、円筒形状を基本形態としており、ｘ軸−側の端部から径方向外側に突出するフランジ部２６ｃを備えている。フランジ部２６ｃのｘ軸−側の面には、ベース部２６ｂの中心軸を中心とした放射状に第１の凹凸２６ａが形成されている。
【００５６】
このような第１の嵌め合い部２６は、本体部１１の凹部１１ｂに嵌め込まれて固定されている。このとき、第１の嵌め合い部２６のｘ軸−側の面は、筐体１１ａのｘ軸−側の面と略面一に配置されている。
【００５７】
ここで、第１の嵌め合い部２６が本体部１１の凹部１１ｂに嵌め込まれた状態で、筐体１１ａに対する第１の嵌め合い部２６の回転が抑制される構成であるとよい。例えば、ベース部２６ｂからｘ軸＋側に突出する突出部２６ｄが凹部１１ｂに形成された係合溝１１ｄに係合されるとよい（図２３を参照）。但し、筐体１１ａに対する第１の嵌め合い部２６の回転を抑制できる構成であればよく、例えば、第１の嵌め合い部２６に形成された係合溝に凹部１１ｂから突出する突出部を係合させてもよい。
【００５８】
ラッチ基部２７は、筐体１１ａのｘ軸−側の面からｘ軸−方向に突出している。ラッチ基部２７は、例えば、円筒形状を基本形態としており、第１の筒状部２７ａ、第２の筒状部２７ｂ及びフランジ部２７ｃを備えている（図２３を参照）。第１の筒状部２７ａは、第１の嵌め合い部２６のベース部２６ｂの内径と略等しい外径を有する。
【００５９】
第２の筒状部２７ｂは、第１の筒状部２７ａに対してｘ軸−側に配置されている。第２の筒状部２７ｂの内径は、第１の筒状部２７ａの内径と略等しく、第２の筒状部２７ｂの外径は、第１の筒状部２７ａの外径に対して小さい。そして、第２の筒状部２７ｂの中心軸は、大凡、第１の筒状部２７ａの中心軸上に配置されている。
【００６０】
フランジ部２７ｃは、第１の筒状部２７ａのｘ軸＋側の端部から径方向内側に向かって突出しており、円環状である。このようなラッチ基部２７は、ｘ軸方向に移動可能に、第１の嵌め合い部２６の内部に挿入されている。このとき、ラッチ基部２７の中心軸は、大凡、第１の嵌め合い部２６の中心軸上に配置され、且つ第１の凹凸２６ａの中心を通る。つまり、第１の凹凸２６ａは、ラッチ基部２７の中心軸を中心とした放射状に配置されていることになる。
【００６１】
ここで、ラッチ基部２７は、案内軸２９及び弾性体３０によってｘ軸方向への移動が案内されるとよい。案内軸２９は、図１６に示すように、ｘ軸−側にフランジ部２９ａを有するシャフトである。案内軸２９は、ラッチ基部２７及び第１の嵌め合い部２６を貫通しており、案内軸２９のｘ軸＋側の端部が筐体１１ａに固定されている（図２３を参照）。そして、案内軸２９の中心軸は、大凡、ラッチ基部２７の中心軸上に配置されている。
【００６２】
このとき、例えば、案内軸２９のｘ軸＋側の端部にネジ部が形成されており、案内軸２９のｘ軸＋側の部分に嵌め込まれたストッパーワッシャ３１によって、当該ネジ部における筐体１１ａへのねじ込み量が制限されている。
【００６３】
弾性体３０は、例えば、コイルバネである。弾性体３０は、案内軸２９に通されており、案内軸２９のフランジ部２９ａとラッチ基部２７のフランジ部２７ｃとの間で圧縮された状態で配置されている。これにより、ラッチ基部２７は、ｘ軸−側に付勢されている。
【００６４】
ここで、ラッチ基部２７が第１の嵌め合い部２６の内部に嵌め込まれた状態で、第１の嵌め合い部２６に対するラッチ基部２７の回転が抑制される構成であるとよい。例えば、ラッチ基部２７に形成された切り欠き部２７ｄが第１の嵌め合い部２６の内周面に形成された凸部２６ｅに係合されるとよい。但し、第１の嵌め合い部２６に対するラッチ基部２７の回転を抑制できる構成であればよい。
【００６５】
ラッチ部２８は、図１６に示すように、ラッチ基部２７のｘ軸−側の端部から径方向に突出している。本実施の形態では、ラッチ部２８として、図１７の中央の図に示すように、第１のラッチ部２８ａ及び第２のラッチ部２８ｂを備えており、第１のラッチ部２８ａと第２のラッチ部２８ｂとは、ラッチ基部２７の中心軸を中心として約１８０°の間隔で配置されている。つまり、第１のラッチ部２８ａと第２のラッチ部２８ｂとは、対向するように配置されている。但し、ラッチ部２８の個数及び配置は、限定されない。
【００６６】
第１のラッチ部２８ａは、例えば、図１７の右側の図に示すように、ラッチ基部２７の周方向（詳細には、表示装置２３に対する撮像装置２２の回転方向）に向かうに従ってｘ軸−側に近づく傾斜面２８ｃをｘ軸＋側の面に備えている。そして、傾斜面２８ｃの間は、平坦面２８ｄとされている。
【００６７】
第２のラッチ部２８ｂは、例えば、図１７の左側の図に示すように、第１のラッチ部２８ａに対してラッチ基部２７の周方向の幅寸法が大きく、当該ラッチ基部２７の径方向の長さが短い。そして、第２のラッチ部２８ｂは、ラッチ基部２７の周方向（詳細には、表示装置２３に対する撮像装置２２の回転方向）に向かうに従ってｘ軸−側に近づく傾斜面２８ｅをｘ軸＋側の面に備えている。そして、傾斜面２８ｅの間は、平坦面２８ｆとされている。
【００６８】
表示装置２３は、被連結部３２を備えている。被連結部３２は、筐体６に設けられている。被連結部３２は、例えば、図１８に示すように、筐体６のｘ軸＋側の面に設けられている。但し、被連結部３２の配置は、筐体６に設けられていればよい。
【００６９】
被連結部３２は、図１８及び図１９に示すように、第２の嵌め合い部３３、被挿入部３４及びボルト３５を備えている。第２の嵌め合い部３３は、ｘ軸＋側の面に形成された第２の凹凸３３ａを備えている。
【００７０】
第２の凹凸３３ａは、例えば、図１８（ａ）に示すように、ベース部３３ｂのｘ軸＋側の面に形成されており、各々の凸部３３ａ１及び凹部３３ａ２が交互に放射状に配置されている。詳細には、ベース部３３ｂのｘ軸＋側の面から山型（即ち、二等辺三角形）の凸部３３ａ１が放射状に突出しており、当該凸部３３ａ１の間が凹部３３ａ２となる。凸部３３ａ１は、凹部２６ａ２と嵌め合い可能であり、凹部３３ａ２は、凸部２６ａ１と嵌め合い可能である。
【００７１】
ベース部３３ｂは、例えば、図１９に示すように、円筒形状を基本形態としており、ｘ軸−側の端部から径方向内側に突出するフランジ部３３ｃを備えている。フランジ部３３ｃは、円環状である。そして、ベース部３３ｂのｘ軸＋側の面には、ベース部３３ｂの中心軸を略中心とした放射状に第２の凹凸３３ａが形成されている。
【００７２】
このような第２の嵌め合い部３３は、筐体６の凹部６ｂに嵌め込まれて固定されている。このとき、第２の嵌め合い部３３も、筐体６に対して回転が抑制される構成であるとよい。
【００７３】
被挿入部３４は、例えば、図１９に示すように、円筒形状を基本形態としており、ｘ軸−側の端部から径方向内側に突出する第１のフランジ部３４ａ、及びｘ軸＋側の端部から径方向内側に突出する第２のフランジ部３４ｂを備えている。第１のフランジ部３４ａは、円環状であり、当該第１のフランジ部３４ａの中央にボルト孔３４ｃが形成されている。
【００７４】
第２のフランジ部３４ｂは、扇状であり、当該第２のフランジ部３４ｂの中央に、後述するように、ラッチ基部２７の第２の筒状部２７ｂが挿入される被挿入孔３４ｄが形成されている。そして、第２のフランジ部３４ｂには、図１８（ｂ）及び図２０に示すように、連結部２５のラッチ部２８が通される切り欠き部３４ｅが形成されている。
【００７５】
本実施の形態では、切り欠き部３４ｅとして、図２０に示すように、連結部２５の第１のラッチ部２８ａが通される第１の切り欠き部３４ｆ、及び連結部２５の第２のラッチ部２８ｂが通される第２の切り欠き部３４ｇを備えている。そして、ｘ軸方向において第１のフランジ部３４ａと第２のフランジ部３４ｂとの間は、後述するように、被挿入部３４の中心軸を中心とした周方向に第１のラッチ部２８ａ及び第２のラッチ部２８ｂを案内する案内溝３４ｈとされる。
【００７６】
このような被挿入部３４は、第２の嵌め合い部３３の内部に嵌め込まれて固定されている。そして、被挿入部３４のボルト孔３４ｃ及び第２の嵌め合い部３３のフランジ部３３ｃの内部にボルト３５を通して筐体６にねじ込むことで、第２の嵌め合い部３３及び被挿入部３４は、筐体６に固定されている。
【００７７】
このとき、被挿入部３４の中心軸は、大凡、第２の嵌め合い部３３の中心軸上に配置され、且つ第２の凹凸３２ａの中心を通る。つまり、第２の凹凸３２ａは、被挿入部３４の中心軸を中心とした放射状に配置されていることになる。
【００７８】
ここで、筐体６の凹部６ｂに第２の嵌め合い部３３のフランジ部３３ｃと略等しい高さを有する突出部６ｃを形成しておき、当該突出部６ｃを第２の嵌め合い部３３のフランジ部３３ｃの内部に挿入するとよい。これにより、第２の嵌め込み部３３を位置決めしつつ、第２の嵌め込み部３３を被挿入部３４と筐体６とで挟み込んで固定することができる。
【００７９】
また、被挿入部３４が第２の嵌め合い部３３の内部に嵌め込まれた状態で、第２の嵌め合い部３３に対する被挿入部３４の回転が抑制される構成であるとよい。例えば、図１９に示すように、被挿入部３４に形成された切り欠き部３４ｉが第２の嵌め合い部３３の内周面に形成された凸部３３ｄに係合されるとよい。但し、第２の嵌め合い部３３に対する被挿入部３４の回転を抑制できる構成であればよい。
【００８０】
さらに、ボルト３５のボルト頭は、被挿入部３４の第１のフランジ部３４ａのｘ軸＋側の面から突出しないように、第１のフランジ部３４ａのｘ軸＋側の面に形成されたザグリ部に収容されているとよい。
【００８１】
次に、本実施の形態の撮像装置２２を表示装置２３に着装する流れ及び着装後の状態を説明する。図２１は、本実施の形態において、撮像装置を表示装置に着装する様子を示す図である。図２２は、本実施の形態において、撮像装置が表示装置に仮組された状態でのラッチ部と切り欠き部との関係を示す図である。図２３は、図２２のXXIII−XXIII断面図である。図２４は、図２２のXXIV−XXIV断面図である。図２５は、本実施の形態において、撮像装置が表示装置に仮組された状態を示す斜視図である。図２６は、本実施の形態において、撮像装置が表示装置に仮組された状態を示す拡大図である。図２７は、本実施の形態において、撮像装置が表示装置に着装された直後のラッチ部と切り欠き部との関係を示す図である。図２８（ａ）は、ラッチ部が案内溝に引き込まれる様子を示す図であり、図２８（ｂ）は、ラッチ部が案内溝に引き込まれた様子を示す図である。図２９は、図２７のXXIX−XXIX断面図である。図３０は、本実施の形態において、撮像装置を表示装置に対して回転させた状態でのラッチ部と切り欠き部との関係を示す図である。図３１は、図３０のXXXI−XXXI断面図である。図３２は、図３０のXXXII−XXXII断面図である。なお、図２３、図２４、図２９、図３１及び図３２では、撮像装置２２及び表示装置２３の内部構造を省略している。
【００８２】
使用者は、図２１に示すように、撮像装置２２を表示装置２３に対してｘ軸＋側から当該表示装置２３に近づける。そして、使用者は、図２２及び図２３に示すように、撮像装置２２のラッチ基部２７を表示装置２３の被挿入部３４の被挿入孔３４ｄに挿入しつつ、第１のラッチ部２８ａを第１の切り欠き部３４ｆに挿入し、第２のラッチ部２８ｂを第２の切り欠き部３４ｇに挿入する。
【００８３】
このとき、第１のラッチ部２８ａのｘ軸＋側の面は、図２３に示すように、案内溝３４ｈに到達しておらず、第１の切り欠き部３４ｆのｘ軸方向の途中位置に配置される。同様に、第２のラッチ部２８ｂのｘ軸＋側の面も、案内溝３４ｈに到達しておらず、第２の切り欠き部３４ｇのｘ軸方向の途中位置に配置される。そして、図２４に示すように、第１の凹凸２６ａと第２の凹凸３３ａとは、嵌め合わされる。
【００８４】
これにより、図２５に示すように、撮像装置２２と表示装置２３とが仮組された状態となる。ここで、撮像装置２２と表示装置２３とをスムーズに仮組することができるように、撮像装置２２及び表示装置２３は各々、位置合わせ用の目印３６ａ、３６ｂを備えているとよい。
【００８５】
例えば、図２６に示すように、撮像装置２２の筐体１１ａに形成された目印３６ａと、表示装置２３の筐体６に形成された目印３６ｂと、をｘ軸方向で並ぶように、撮像装置２２を表示装置２３に近づけると、撮像装置２２のラッチ部２８が表示装置２３の切り欠き部３４ｅに挿入されるとよい。
【００８６】
そして、使用者が撮像装置２２を回転させると、図２７に示すように、撮像装置２２の回転に伴って第１のラッチ部２８ａが第１の切り欠き部３４ｆに対して回転し、同様に第２のラッチ部２８ｂが第２の切り欠き部３４ｇに対して回転する。
【００８７】
このとき、第１のラッチ部２８ａの傾斜面２８ｃは、図２８（ａ）に示すように、第１の切り欠き部３４ｆのｘ軸−側の角部に接触し、撮像装置２２のラッチ基部２７の回転に連動するように第１のラッチ部２８ａをｘ軸−側に引き込む。同様に、第２のラッチ部２８ｂの傾斜面２８ｅも、第２の切り欠き部３４ｇのｘ軸−側の角部に接触し、撮像装置２２の回転に連動するように第２のラッチ部２８ｂをｘ軸−側に引き込む。
【００８８】
使用者は、さらに撮像装置２２を表示装置２３に対して回転させると、図２８（ｂ）及び図２９に示すように、第１のラッチ部２８ａ及び第２のラッチ部２８ｂは、案内溝３４ｈ内に導かれる。これにより、撮像装置２２の連結部２５と表示装置２３の被連結部３２とが連結され、その結果、撮像装置２２は表示装置２３に着装される。
【００８９】
このとき、第１のラッチ部２８ａ及び第２のラッチ部２８ｂ、ひいてはラッチ基部２７がｘ軸−方向に引き込まれることで、弾性体３０はさらに圧縮された状態となる。その結果、第１のラッチ部２８ａの平坦面２８ｄ及び第２のラッチ部２８ｂの平坦面２８ｆは、案内溝３４ｈのｘ軸＋側の面（即ち、被挿入部３４の第２のフランジ３４ｂのｘ軸−側の面）に押圧される。
【００９０】
このような着脱ヒンジ２４は、第１のラッチ部２８ａ及び第２のラッチ部２８ｂと案内溝３４ｈとの係合構造によって撮像装置２２と表示装置２３とが着装された状態で、第１のラッチ部２８ａ及び第２のラッチ部２８ｂが案内溝３４ｈ内を移動することで、ラッチ基部２７、ひいては表示装置２３に対する撮像装置２２の回転を許容する。
【００９１】
ここで、撮像装置２２を表示装置２３に対して回転させると、図３０に示すように、第１のラッチ部２８ａ及び第２のラッチ部２８ｂが案内溝３４ｈ内で移動するが、このとき、図２４に示すように、第１の凹凸２６ａと第２の凹凸３３ａとが嵌め合った状態と、図３１に示すように、第１の凹凸２６ａの凸部２６ａ１が第２の凹凸３３ａの凸部３３ａ１に乗り上げた状態と、を繰り返す。
【００９２】
そして、上述のように、第１のラッチ部２８ａの平坦面２８ｄ及び第２のラッチ部２８ｂの平坦面２８ｆが案内溝３４ｈのｘ軸＋側の面に接触しているため、第１の凹凸２６ａの凸部２６ａ１が第２の凹凸３３ａの凸部３３ａ１に乗り上げる際に、第１の嵌め合い部２６を介して撮像装置２２の本体部１１をｘ軸＋方向に押し出す。
【００９３】
これにより、ラッチ基部２７は、図３２に示すように、第１の嵌め合い部２６に対して相対的にｘ軸−方向に移動することになり、ストッパーワッシャ３１とラッチ基部２７のｘ軸＋側の面との間隔Ｔが広くなる。つまり、案内軸２９のフランジ部２９ａとラッチ基部２７のフランジ部２７ｃとの間隔が狭くなる。その結果、弾性体３０が収縮し、第１のラッチ部２８ａの平坦面２８ｄ及び第２のラッチ部２８ｂの平坦面２８ｆが案内溝３４ｈのｘ軸＋側の面に強く押圧されることになる。
【００９４】
一方、第１の凹凸２６ａと第２の凹凸３３ａとが嵌め合わされた状態では、第１の凹凸２６ａの凸部２６ａ１が第２の凹凸３３ａの凸部３３ａ１に乗り上げた状態に対して、撮像装置２２の本体部１１がｘ軸−側に配置されており、ストッパーワッシャ３１とラッチ基部２７のｘ軸＋側の面との間隔Ｔが狭くなる。つまり、案内軸２９のフランジ部２９ａとラッチ基部２７のフランジ部２７ｃとの間隔が広くなる。
【００９５】
その結果、第１の凹凸２６ａと第２の凹凸３３ａとが嵌め合わされた状態では、第１の凹凸２６ａの凸部２６ａ１が第２の凹凸３３ａの凸部３３ａ１に乗り上げた状態に対して、弾性体３０の付勢力は弱くなる。
【００９６】
そこで、第１の凹凸２６ａと第２の凹凸３３ａとが嵌め合わされた状態でも、第１のラッチ部２８ａの平坦面２８ｄ及び第２のラッチ部２８ｂの平坦面２８ｆが案内溝３４ｈのｘ軸＋側の面に押圧されるように、撮像装置２２が表示装置２３に着装される前の弾性体３０の圧縮量が設定されるとよい。これにより、ラッチ基部２７のガタツキを抑制することができる。
【００９７】
このような着脱ヒンジ２４は、ｘ軸方向から見て、第１のラッチ部２８ａと第１の切り欠き部３４ｆとが重なり、且つ第２のラッチ部２８ｂと第２の切り欠き部３４ｇとが重なるように、撮像装置２２を表示装置２３に対して回転させ、撮像装置２２を表示装置２３に対してｘ軸＋側に引き込むと、撮像装置２２を表示装置２３から脱去できる。
【００９８】
ここで、本実施の形態の第１のラッチ部２８ａ及び第２のラッチ部２８ｂは、上述のように異なる形状とされているので、撮像装置２２を表示装置２３に着装した状態に対して、撮像装置２２を３６０°回転させないと、撮像装置２２が表示装置２３から脱去されない。そのため、撮像装置２２の回転許容範囲が広く、撮像の自由度が高い。
【００９９】
本実施の形態の電子機器２１は、撮像装置２２のラッチ部２８を表示装置２３の案内溝３４ｈに挿入又は当該案内溝３４ｈから抜去することで、撮像装置２２と表示装置２３とを着脱可能な構成とされており、且つラッチ部２８が案内溝３４ｈ内を移動することで、撮像装置２２がラッチ基部２７を中心に表示装置２３に対して回転可能である。そして、撮像装置２２を表示装置２３に対して回転させた際に、第１の凹凸２６ａと第２の凹凸３３ａとが嵌め合わされると、撮像装置２２における表示装置２３に対する回転位置を保持することができる。
【０１００】
しかも、撮像装置２２のラッチ部２８を表示装置２３の案内溝３４ｈから抜去すると、簡単に撮像装置２２を表示装置２３に対して脱去することができる。これにより、使用者は一方の手で表示装置２３を保持しつつ、他方の手で撮像装置２２を保持することができる。
【０１０１】
ここで、第１の嵌め合い部２６のｘ軸−側の面に被挿入部３４のｘ軸＋側の端部を挿入可能な凹部２６ｆが形成されているとよい。これにより、被挿入部３４も撮像装置２２と表示装置２３とを相対的に回転させる際の軸部として用いることができ、撮像装置２２を表示装置２３に対して回転させる際のガタツキを抑制することができる。
【０１０２】
なお、本実施の形態では、撮像装置２２に連結部２５を設け、表示装置２３に被連結部３２を設けたが、撮像装置２２に被連結部を設け、表示装置２３に連結部を設けてもよい。
【０１０３】
また、切り欠き部３４ｅのｘ軸−側の角部に表示装置２３に対する撮像装置２２の回転方向に向かうに従ってｘ軸−側に近づく傾斜面を備えているとよい。これにより、ラッチ部２８の傾斜面を省略することもできる。
【０１０４】
本発明は上記実施の形態に限られたものではなく、趣旨を逸脱しない範囲で適宜変更することが可能である。
【符号の説明】
【０１０５】
１  電子機器
２  表示装置
３  撮像装置
４  着脱ヒンジ
５  表示部
６  筐体、６ｂ  凹部、６ｃ  突出部、
７  連結部
８  第１の嵌め合い部
８ａ  第１の凹凸、８ａ１  凸部、８ａ２  凹部
８ｂ  ベース部、８ｃ  凹部、８ｄ  ボルト孔
９  軸部、９ａ  ボルト孔
１０  ボルト
１１  本体部
１１ａ  筐体、１１ｂ  凹部、１１ｃ  ボルト穴、１１ｄ  係合溝
１２  被連結部
１３  第２の嵌め合い部
１３ａ  第２の凹凸、１３ａ１  凸部、１３ａ２凹部
１３ｂ  ベース部、１３ｃ  凹部、１３ｄ  ボルト孔
１４  ワッシャ、１４ａ  ボルト孔
１５  ボルト
１６  空間
２１  電子機器
２２  撮像装置
２３  表示装置
２４  着脱ヒンジ
２５  連結部
２６  第１の嵌め合い部
２６ａ  第１の凹凸、２６ａ１  凸部、２６ａ２  凹部
２６ｂ  ベース部、２６ｃ  フランジ部、２６ｄ  突出部、２６ｅ  凸部、２６ｆ  凹部
２７  ラッチ基部、２７ａ  第１の筒状部、２７ｂ  第２の筒状部、２７ｃ  フランジ部、２７ｄ  切り欠き部
２８  ラッチ部
２８ａ  第１のラッチ部、２８ｃ  傾斜面、２８ｄ  平坦面
２８ｂ  第２のラッチ部、２８ｅ  傾斜面、２８ｆ  平坦面
２９  案内軸、２９ａ  フランジ部
３０  弾性体
３１  ストッパーワッシャ
３２  被連結部、３２ａ  第２の凹凸
３３  第２の嵌め合い部
３３ａ  第２の凹凸、３３ａ１  凸部、３３ａ２  凹部
３３ｂ  ベース部、３３ｃ  フランジ部、３３ｄ  凸部
３４  被挿入部、３４ａ  第１のフランジ部、３４ｂ  第２のフランジ部、３４ｃ  ボルト孔、３４ｄ  被挿入孔
３４ｅ  切り欠き部、３４ｆ  第１の切り欠き部、３４ｇ  第２の切り欠き部
３４ｈ  案内溝
３４ｉ  切り欠き部
３５  ボルト
３６ａ、３６ｂ  目印
【図１】
2019027514.tif 000003
【図２】
2019027514.tif 000004
【図３】
2019027514.tif 000005
【図４】
2019027514.tif 000006
【図５】
2019027514.tif 000007
【図６】
2019027514.tif 000008
【図７】
2019027514.tif 000009
【図８】
2019027514.tif 000010
【図９】
2019027514.tif 000011
【図１０】
2019027514.tif 000012
【図１１】
2019027514.tif 000013
【図１２】
2019027514.tif 000014
【図１３】
2019027514.tif 000015
【図１４】
2019027514.tif 000016
【図１５】
2019027514.tif 000017
【図１６】
2019027514.tif 000018
【図１７】
2019027514.tif 000019
【図１８】
2019027514.tif 000020
【図１９】
2019027514.tif 000021
【図２０】
2019027514.tif 000022
【図２１】
2019027514.tif 000023
【図２２】
2019027514.tif 000024
【図２３】
2019027514.tif 000025
【図２４】
2019027514.tif 000026
【図２５】
2019027514.tif 000027
【図２６】
2019027514.tif 000028
【図２７】
2019027514.tif 000029
【図２８】
2019027514.tif 000030
【図２９】
2019027514.tif 000031
【図３０】
2019027514.tif 000032
【図３１】
2019027514.tif 000033
【図３２】
2019027514.tif 000034